(57)【要約】      （修正有）【課題】誘導電力伝送（ＩＰＴ）ピックアップの出力を制御するためのＩＰＴ制御方法を提供する。【解決手段】ＩＰＴピックアップ回路は、ダイオードブリッジ整流器Ｄ１、Ｄ２、Ｄ３、、Ｄ４の入力に結合されたＬＣＬ共振回路を有す。更に、ダイオードブリッジの第１ダイオードＤ１および第２ダイオードＤ２には、Ｄ１、Ｄ２を選択的に短絡するスイッチＳ１、Ｓ２が並列に接続されている。スイッチＳ１、Ｓ２をＰＷＭ制御することにより、整流された交流入力のそれぞれの正負周期の割合を制御することにより、出力が調節される。【選択図】図２
2018068105.tif 000002
【特許請求の範囲】
【請求項１】
共振回路からの交流入力を含む誘導電力伝送（ＩＰＴ）ピックアップのための制御方法であって、前記交流入力は、交流電流を前記交流入力から整流し、直流電流を直流出力に供給するように適合されたダイオードブリッジに電気的に結合され、
前記交流電流の正の期間中に前記交流電流が前記共振回路に再循環をもたらすために、前記ダイオードブリッジの第１のダイオードを選択的に短絡することと、
前記交流電流の負の期間中に前記交流電流が前記共振回路に再循環をもたらすために、前記ダイオードブリッジの第２のダイオードを選択的に短絡することと、
を含み、
前記第１および第２のダイオードを短絡することは、それによって前記交流電流の前記正および負の期間の所定の割合が、前記直流電流を前記直流出力に供給するように整流され、前記交流電流の前記正および負の期間の残りの割合は、前記共振回路に再循環される、前記交流電流と同期される、制御方法。
【請求項２】
前記所定の割合は、前記交流電流の前記正および負の期間のそれぞれの開始時に発生し、前記第１または第２のダイオードは、前記交流電流のそれぞれのゼロ交差に続いて前記交流電流をそれぞれ導電し、前記正または負の期間の前記残りの割合は、適時に前記それぞれの第１または第２のダイオードを短絡することによって再循環される、請求項１に記載の制御方法。
【請求項３】
前記所定の割合は、前記交流電流の前記正および負の期間のそれぞれの終了時に生じ、前記第１または第２のダイオードは、前記交流電流を最初に再循環させるために、前記交流電流のそれぞれのゼロ交差時にそれぞれが短絡し、次いで前記それぞれの第１または第２のダイオードは、前記正または負の期間の前記所定の割合に対して、前記交流電流を導電させるために短絡されない、請求項１に記載の制御方法。
【請求項４】
前記正および負の期間の前記所定の割合は、所望の直流出力に比例し、前記方法は、前記直流出力を検知し、前記所望の直流出力を獲得するために、それに応じて前記所定の割合を調節するステップをさらに含む、請求項１乃至３のいずれか１項に記載の制御方法。
【請求項５】
前記方法は、前記所定の割合を前記ピックアップのスイッチを入れる際に、必要とされる割合まで低速で増加させるステップをさらに含む、請求項１乃至４のいずれか１項に記載の制御方法。
【請求項６】
前記方法は、前記所定の割合を前記ピックアップのスイッチを切る際に、ゼロまで低速で減少させるステップをさらに含む、請求項１乃至５のいずれか１項に記載の制御方法。
【請求項７】
前記短絡することは、前記第１および第２のダイオードのそれぞれと並列して提供される、第１および第２のスイッチを選択的に閉じることによって、選択的に制御される、請求項１乃至６のいずれか１項に記載の制御方法。
【請求項８】
前記第１および第２のスイッチは、前記第１または第２のダイオードをそれぞれ導電する際に開く、請求項７に記載の制御方法。
【請求項９】
請求項１乃至８のいずれか１項による、前記方法を実行するように適合された、ＩＰＴピックアップ制御装置。
【請求項１０】
交流電流を共振回路から受け取るための入力と、
直流電流を負荷に供給するための出力と、
前記入力と前記出力を電気的に結合する制御回路であって、前記制御回路はダイオードブリッジ、短絡するスイッチ、および前記ダイオードブリッジの第１および第２のダイオードを前記交流電流と同期して短絡するために、前記スイッチを選択的に作動するための制御手段を含む、制御回路と、
を含む、導電電力伝送（ＩＰＴ）ピックアップ制御装置。
【請求項１１】
前記制御手段は、前記短絡するスイッチを使用して、前記第１および第２のダイオードを選択的に短絡するように適合され、それによって前記交流電流の正および負の期間の所定の割合のそれぞれは、前記ダイオードブリッジによって整流され、前記出力に供給され、前記交流電流の前記正および負の期間の残りの割合のそれぞれは、前記共振回路に再循環される、請求項１０に記載のＩＰＴピックアップ制御装置。
【請求項１２】
前記短絡するスイッチは、２つのスイッチを備え、前記スイッチは、前記第１および第２のダイオードのそれぞれに並列に提供され、前記第１および第２のダイオードは通常の陽極を有する、請求項１０または１１に記載のＩＰＴピックアップ制御装置。
【請求項１３】
前記スイッチは、ＭＯＳＦＥＴトランジスタを備え、前記第１および第２のダイオードは、前記ＭＯＳＦＥＴトランジスタのボディダイオードを備える、請求項１０乃至１２のいずれか１項に記載のＩＰＴピックアップ制御装置。
【請求項１４】
前記制御手段は、前記出力を検知するために、フィードバックループを形成し、所望の出力を獲得するために、前記所定の割合を調節可能な検知手段をさらに含む、請求項１０乃至１３のいずれか１項に記載のＩＰＴピックアップ制御装置。
【請求項１５】
前記制御手段は、前記交流電流のゼロ交差に関して、前記第１および第２のダイオードを同期して短絡するために、前記ゼロ交差検出器をさらに含む、請求項１０乃至１４のいずれか１項に記載のＩＰＴピックアップ制御装置。
【請求項１６】
請求項１乃至８のいずれか１項による前記方法を実行するように適合され、かつ／または請求項９乃至１５のいずれか１項によるＩＰＴピックアップ制御装置を備える、ＩＰＴピックアップ。
【請求項１７】
前記共振回路は、直並列同調ＬＣＬ（インダクタ・コンデンサ・インダクタ）共振回路を備える、請求項１６に記載のＩＰＴピックアップ。
【請求項１８】
請求項９乃至１５のいずれか１項による、少なくとも１つのピックアップ制御装置、および／または請求項１６または１７による、少なくとも１つのＩＰＴピックアップを備える、ＩＰＴシステム。
【発明の詳細な説明】
【技術分野】
【０００１】
本発明は、誘導電力伝送の分野に関する。より詳細には、本発明は、軌道電流への一過性障害を最小にする分離型ピックアップへの、電力の誘導伝送を制御する方法および回路に関する。
【背景技術】
【０００２】
誘導電力伝送（ＩＰＴ）システムでは、電力は、交流電源装置によって供給される一次導電経路または軌道（ＩＰＴシステムの一次側部を一緒に形成する電源および軌道）と、（システムの二次側部を形成する）軌道と誘導的に結合された１つまたは複数のピックアップとの間に誘導的に伝送される。
【０００３】
ピックアップは、少なくともピックアップコイルおよび同調コンデンサからなる、同調回路または共振回路を備える。２つの一般的なピックアップトポロジは、同調コンデンサがピックアップコイルと直列に提供される、直列同調ピックアップ、および同調コンデンサがピックアップコイルと並列に提供される、並列同調ピックアップである。同調回路は、通常、（通常、整流器および変換器または調整器を備える）制御回路に電気的に結合されて、負荷を供給するために所望の出力を獲得する。
【０００４】
代替的ピックアップトポロジは、図１の例によって示されたように、直並列同調ＬＣＬ（インダクタ・コンデンサ・インダクタ）ピックアップとして公知である。
【０００５】
直並列同調ＬＣＬピックアップトポロジ（以下、ＬＣＬピックアップと呼ぶ）は、低速スイッチング並列同調ピックアップに類似した、低速スイッチング（すなわち、ＩＰＴ軌道の周波数よりはるかに小さいスイッチング周波数）分離制御方法で制御される。低速スイッチングトポロジに関する問題は、通常の電力調整中にピックアップによって引き出される、一過性の突入電力である。複数のピックアップシステムにおいて、ピックアップのスイッチがオンされる度に、一過性の電力突入は軌道電流を一時的に低減する。この障害は、大きい場合は、軌道に結合されたすべての他のピックアップに流れる電力を制限する。並列ＬＣ同調ピックアップ制御装置を使用して、この軌道電流の一過性障害を最小にするための制御回路トポロジは、「Ｃｏｎｔｒｏｌｌｉｎｇ  ｉｎｒｕｓｈ  ｃｕｒｒｅｎｔｓ  ｉｎ  ｉｎｄｕｃｔｉｖｅｌｙ  ｃｏｕｐｌｅｄ  ｐｏｗｅｒ  ｓｙｓｔｅｍｓ」Ｔｈｅ  ７ｔｈ  Ｉｎｔｅｒｎａｔｉｏｎａｌ  Ｐｏｗｅｒ  Ｅｎｇｉｎｅｅｒｉｎｇ  Ｃｏｎｆｅｒｅｎｃｅ，２００５（第７回国際電力工学会議２００５）、Ｖｏｌ．２、１０４６〜１０５１ページ、２００５年１１月２９日〜２００５年１２月２日にＢｏｙｓ，Ｊ．Ｔ．、Ｃｈｅｎ，Ｃ．I．、Ｃｏｖｉｃ，Ｇ．Ａ．によって記載された。しかし、この単純な手法は、スイッチモードの回路内で電流導電を継続するために、大きい直流インダクタを必要とするので、既存の設計手法を使用するＬＣＬトポロジには使用できない。
【発明の概要】
【発明が解決しようとする課題】
【０００６】
したがって、先行技術の１つもしくは複数の不利益を克服する、または改善する回路および／または方法を提供する、あるいは別法として、少なくとも有益な選択を公に提供することが、本発明の目的である。
【０００７】
本発明のさらなる目的は、以下の説明から明らかになろう。
【課題を解決するための手段】
【０００８】
一態様によれば、本発明は、共振回路からの交流入力を含む、誘導電力伝送（ＩＰＴ）ピックアップのための制御方法であると概して言ってもよく、交流入力は、交流電流を交流入力から整流し、直流電流を直流出力に供給するように適合されたダイオードブリッジに電気的に結合され、方法は、
交流電流の正の期間中に交流電流が共振回路に再循環をもたらすために、ダイオードブリッジの第１のダイオードを選択的に短絡することと、
交流電流の負の期間中に交流電流が共振回路に再循環をもたらすために、ダイオードブリッジの第２のダイオードを選択的に短絡することと、を含み、
該第１および第２のダイオードを短絡することは、それによって交流電流の該正および負の期間の所定の割合が、直流電流を直流出力に供給するように整流され、交流電流の該正および負の期間の残りの割合は、共振回路に再循環される、交流電流と同期される。
【０００９】
好ましくは、該所定の割合は、交流電流の正および負の期間のそれぞれの開始時に発生し、該第１または第２のダイオードのそれぞれは、交流電流のそれぞれのゼロ交差に続いて交流電流を導電し、正および負の期間の残りの割合は、適時に該それぞれの第１または第２のダイオードを短絡することによって、再循環される。ダイオードが最初に導電される作動のこの方式は、本文書においてはモードＩと呼ばれる。
【００１０】
別法として、該所定の割合は、交流電流の正および負の期間のそれぞれの終了時に生じ、該第１または第２のダイオードは、交流電流を最初に再循環させるために、交流電流のそれぞれのゼロ交差時にそれぞれが短絡し、次いでそれぞれの第１または第２のダイオードは、正または負の期間の所定の割合に対して、交流電流を導電させるために短絡されない。ダイオードが最初に短絡される作動のこの方式は、本文書においてはモードＩＩと呼ばれる。
【００１１】
好ましくは、該正および負の期間の所定の割合は、所望の直流出力に比例し、方法は、直流出力を検知し、該所望の直流出力を獲得するために、それに応じて該所定の割合を調節するステップをさらに含む。
【００１２】
好ましくは、方法は、該所定の割合をピックアップのスイッチを入れる際に、必要とされる割合まで低速で増加させるステップをさらに含む。
【００１３】
好ましくは、方法は、該所定の割合をピックアップのスイッチを切る際に、ゼロまで低速で減少させるステップをさらに含む。
【００１４】
好ましくは、該短絡することは、該第１および第２のダイオードのそれぞれと並列して提供される、第１および第２のスイッチを選択的に閉じることによって、選択的に制御される。
【００１５】
好ましくは、該第１および第２のスイッチは、該第１または第２のダイオードをそれぞれ導電する際に開く。
【００１６】
好ましくは、共振回路は、直並列同調ＬＣＬ（インダクタ・コンデンサ・インダクタ）ピックアップ回路を含む。
【００１７】
第２の態様によれば、本発明は、本発明の第１の態様による方法を実行するように適合された、ＩＰＴピックアップ制御装置であると概して言ってもよい。
【００１８】
第３の態様によれば、本発明は、
交流電流を共振回路から受け取るための入力と、
直流電流を負荷に供給するための出力と、
入力と出力を電気的に結合する制御回路であって、制御回路はダイオードブリッジ、短絡するスイッチ、および該ダイオードブリッジの第１および第２のダイオードを交流電流と同期して短絡するために、該スイッチを選択的に作動するための制御手段を含む、制御回路と、を含む、誘導電力伝送（ＩＰＴ）ピックアップ制御装置であると概して言ってもよい。
【００１９】
好ましくは、該制御手段は、該短絡するスイッチを使用して、該第１および第２のダイオードを選択的に短絡するように適合され、それによって交流電流の正および負の期間の所定の割合のそれぞれは、ダイオードブリッジによって整流され、出力に供給され、交流電流の正および負の期間の残りの割合のそれぞれは、共振回路に再循環される。
【００２０】
好ましくは、該短絡するスイッチは、２つのスイッチを備え、該２つのスイッチのそれぞれは、該第１および第２のダイオードのそれぞれに並列に提供され、該第１および第２のダイオードは通常の陽極を有する。
【００２１】
別法として、該短絡するスイッチは、通常の陰極を有する２つのスイッチを備えてもよく、それぞれは、第１および第２のダイオードのそれぞれに並列に提供される。
【００２２】
好ましくは、スイッチは、ＭＯＳＦＥＴトランジスタを備え、該第１および第２のダイオードは、該ＭＯＳＦＥＴトランジスタのボディダイオードを備える。
【００２３】
好ましくは、該制御手段は、出力を検知し、所望の出力を獲得するために該所定の割合を調節するように、フィードバックループを形成する検知手段をさらに含む。
【００２４】
好ましくは、該制御手段は、交流電流のゼロ交差に関して、第１および第２のダイオードの短絡を同期するために、ゼロ交差検出器をさらに含む。
【００２５】
第４の態様によれば、本発明は、本発明の第１の態様による方法を実行するように適合され、かつ／または本発明の第２または第３の態様によるＩＰＴピックアップ制御装置を備える、ＩＰＴピックアップであると概して言ってもよい。
【００２６】
好ましくは、該共振回路は、直並列同調ＬＣＬ（インダクタ・コンデンサ・インダクタ）共振回路を備える。
【００２７】
第５の態様によれば、本発明は、本発明の第２または第３の態様による、少なくとも１つのピックアップ制御装置、および／または本発明の第４の態様による少なくとも１つのＩＰＴピックアップを備える、ＩＰＴシステムであると概して言ってもよい。
【００２８】
本発明のさらなる態様は、すべてがその新規の態様であるとみなされるべきであり、以下の説明から明らかになろう。
【００２９】
次に、本発明の多くの実施形態を、例として図面を参照して説明する。
【図面の簡単な説明】
【００３０】
【図１】先行技術による、直並列同調ＬＣＬピックアップの回路図である。
【図２】本発明による、直並列同調ＬＣＬピックアップの回路図である。
【図３】第１の方式（モードＩである）で作動する際に、図２に概ね示されたような、回路の例のシミュレーション波形を示す図である。
【図４】第２の方式（モードＩＩである）で作動する際に、同じ例の回路のシミュレーション波形を示す図である。
【図５】モードＩで作動する際に、同じ例の回路に対する様々なＶＤＣ／ＶＯＣの割合に対する、正規化された出力電流とスイッチ流通期間との対比を示すグラフである。
【図６】モードＩＩで作動する際に、同じ例の回路に対する様々なＶＤＣ／ＶＯＣの割合に対する、正規化された出力電流とスイッチ流通期間との対比を示すグラフである。
【図７】モードＩで作動する際に、同じ例の回路に対する様々なＶＤＣ／ＶＯＣの割合に対する、正規化された反射された反応インピーダンスとスイッチ流通期間との対比を示すグラフである。
【図８】モードＩＩで作動する際に、同じ例の回路に対する様々なＶＤＣ／ＶＯＣの割合に対する、正規化された反射された反応インピーダンスとスイッチ流通期間との対比を示すグラフである。
【図９】図２の回路を使用し、モードＩに基づいて定格負荷の半分で作動する、本発明による例示的ピックアップ回路の実波形を示す図である。
【図１０】図２の回路を使用し、モードＩにおいて様々な負荷条件（１／３、２／３および定格負荷）下で作動する、本発明による例示的ピックアップ回路の実波形を示す図である。
【図１１】図２の回路を使用し、モードＩにおいて負荷領域を横切って作動する、本発明によるピックアップ回路の効率測定を示す図である。
【発明を実施するための形態】
【００３１】
説明全体を通して、同じ参照番号は、異なる実施形態における同じ特徴を指すために使用される。
【００３２】
本発明は、整流および電力調節の両方を達成する、直並列同調ＬＣＬピックアップに対する制御方法および／または回路を提供する。本発明は、概して本文書では「循環電流制御」を指す。循環電流制御は、スイッチがＩＰＴ軌道周波数と同期的にスイッチングするように制御される、従来のＳＣＲ制御清流器と同様の方法で作動する。デューティサイクルは、平滑な平均出力電力が達成され、完全なオン状態と完全なオフ状態との間の平滑な電力伝送を提供する、または高速スイッチング（すなわち、スイッチング周波数が、ＩＰＴ軌道周波数に類似している、またはＩＰＴ軌道周波数と同期する）制御トポロジとして挙動することができることを、確保するように制御される。
【００３３】
まず図１に示された先行技術のピックアップを参照すると、特性インピーダンスＸが以下によって得られる。
【数１】
2018068105.tif 000003
【００３４】
上式で、Ｃｓｓｅｒｉｅｓは、出力電流能力を増加するために使用される。Ｌ３およびＣ３の値は、整流器が最大出力電力に対する連続導電下で作動するように選択され、また、Ｌ２内の電流を最小にするために、整流器の非線形効果によって導入された、追加のインダクタンスに適合するように設計される。ＬＣＬネットワークに対する低速スイッチングコントローラは、並列ＬＣ回路において、スイッチが閉じられた際に共振は崩れる場合を除き、並列同調回路と類似した手法で作動し、ここではＬＣＬトポロジにおける完全な共振電流は、依然としてＣ２、Ｌ３、Ｃ３および整流器を通って循環する。Ｌ１上のＬＣＬネットワークの反射されたインピーダンスＺｒの実部は、以下によって表される。
【数２】
2018068105.tif 000004
【００３５】
ＶＤＣは、図２に示されたように、回路の調整された直流出力電圧であり、ＶＯＣは、ピックアップコイルの開回路電圧である。
【００３６】
方程式２に示されたように、一次軌道に戻る反射されたインピーダンスは、ピックアップによって引き出される電力に対応し、スイッチデューティサイクルＤによって直接制御される。Ｄの値が１（すなわち、図１においてスイッチＳが閉じたままである）から０（すなわち、スイッチＳが開いたままである）に、またはその逆に変化する度に、電源から引き出される電力が変化する。しかし実際には、一次軌道電流もまた、過渡的に低減し、同じ軌道上の他のピックアップへの電力伝送に一時的に影響を与えることになる。
【００３７】
図２の例によって示されたように、提案された循環する電流制御回路は、好ましくは、ダイオードブリッジ整流器構成内に４つのダイオード（Ｄ１、Ｄ２、Ｄ３、およびＤ４）を備え、スイッチＳ１またはＳ２を閉じることにより、電流をＩＬ３の正または負の期間中のそれぞれに交流共振回路内で再循環させるように、第１および第２のダイオード（Ｄ１およびＤ２）を短絡するそれぞれのスイッチ（Ｓ１およびＳ２）を備える。しかし実際には、ダイオードブリッジの短絡されたダイオードは、スイッチＳ１およびＳ２を形成するＭＯＳＦＥＴトランジスタのボディダイオードを備えてもよい。
【００３８】
制御回路は、交流電流入力を直流出力に結合する。図２では、直流出力は、負荷ＲＤＣに連結されて示されている。また制御回路は、示されたように、容器または出力／負荷を横切って平滑にするコンデンサＣＤＣを備えてもよい。
【００３９】
スイッチＳ１およびＳ２は、Ｌ３（ＩＬ３）内の共振電流の一部を固定するために使用される。Ｖｇ１およびＶｇ２は、Ｓ１およびＳ２を駆動し、たとえばゼロ交差検出器を使用して、以下にさらに詳述されるように、ＩＬ３と同期された、パルス幅変調（ＰＷＭ）ゲート信号である。本明細書に使用される場合、用語「ｓｙｎｃｈｒｏｎｉｚｅｄ（同期された）」、「ｓｙｎｃｈｒｏｎｙ（同期性）」などは、交流電流入力に関して、スイッチングが生じたときに注意深く制御することを指すことが意図される。交流入力とスイッチングとの間の位相角は、スイッチングが周期毎に丁度そのときに生じるように、たとえば交流電流入力のゼロ交差と必ずしも同時に起こるわけではないが、制御され、必要な場合は、ＩＰＴピックアップ制御装置の出力を調節あるいは制御するように、ゼロ交差に関して変えられる。
【００４０】
２つの制御スイッチが、整流器の２つの下部ダイオードより、むしろ２つの頂部ダイオードを短絡するために移動されるのであれば、同様の制御出力を達成することが可能であることは、当業者には明白である。この場合、スイッチＳ３およびＳ４は、Ｄ３およびＤ４を短絡するために作動されることが可能であり、また同様の成果を達成するために、制御（本明細書で論じられたような）の２つの可能な方式で作動されることも可能である。この構成において、Ｓ１に対する本明細書に論じられたゲート駆動信号は、Ｓ４を駆動するために使用されるはずである一方で、Ｓ２に対するゲート駆動は、Ｓ３を駆動するために使用されるはずである。回路の他のこのような変形形態および修正形態は、本発明の範囲から逸脱することなく可能である。
【００４１】
本発明のピックアップ制御装置回路は、２つの方法で作動されてもよい。作動の第１の方式は、Ｄ３またはＤ４がＩＬ３の正の期間または負の期間のそれぞれの開始時に導電可能になり、次いでＳ１またはＳ２をオンにして出力電力を調節するためにＩＬ３の一部を固定するものである。本文書において先に述べたように、この作動方式はモードＩと呼ばれる。
【００４２】
作動の第２の方式は、ＩＬ３の正の期間または負の期間の開始時にＳ１またはＳ２を導電したままに保ち、次いでスイッチをオフにしてＩＬ３の一部が負荷に伝送可能になるものである。本文書において先に述べたように、この作動方式はモードＩＩと呼ばれる。
【００４３】
スイッチＳ１およびＳ２は、たとえば、マイクロコントローラおよび／または論理回路などの、あらゆる適切な制御手段を使用して制御されてもよい。また制御手段は、（ピックアップ出力電流、電圧および／または電力を検知するための）検知手段、およびピックアップ回路出力の制御および／または調節が可能なフィードバックループを含んでもよい。したがって、様々な異なる制御手段が、本発明の範囲から逸脱することなく使用されてもよい。適切な制御手段の実施は、当業者に可能な範囲内であるとみなされる。
【００４４】
モードＩの作動は、図３の波形に示されている。
【００４５】
ゲート信号の立上りエッジ、すなわちＶｇ１およびＶｇ２のデューティサイクルは、図３に示されたように、ＩＬ３の負−正および正−負のゼロ交差のそれぞれを参照して、位相遅延θ１（ダイオード流通期間と呼ばれる）で制御される。
【００４６】
ｔ０において、電流ＩＬ３は丁度正に変わる。第１のスイッチＳ１が初期設定でオフである状態で、ダイオードＤ３は導電を開始する。次いで電流ＩＬ３は、電流ＩＬ３の正の期間の所定の割合に対して、Ｄ３およびＳ２のボディダイオードＤ２を介して負荷ＲＤＣに伝送される。ＬＣＬネットワークの瞬時出力電圧は、＋ＶＤＣに等しい。
【００４７】
ダイオード流通期間θ１が到達するｔ１において、Ｓ１はオンされ、ＩＬ３は、電流ＩＬ３の正の期間の残りの割合に対して、負荷ＲＤＣに伝送される電力を停止するために、Ｓ１およびＳ２のボディダイオードＤ２を介して循環する。その代わりに、電流は共振回路に再循環される。
【００４８】
ｔ２＝Ｔ／２において、ＩＬ３は、Ｄ４がＩＬ３の負の期間の所定の割合に対して導電し、回路がＳ１のボディダイオード、第１のダイオードＤ１で閉じられるように、負に変わる。Ｓ１のボディダイオードＤ１が導電される一方で、Ｓ１はゼロ電流でオフされることが可能である。ＶＬＣＬの瞬時値は−ＶＤＣである。負荷ＲＤＣに伝送される電力は、一定に維持されている位相遅延（ダイオード流通期間）θ１を提供する第２の（負の）半周期と同一である。
【００４９】
ｔ３において、ゲート信号Ｖｇ２はＳ２をオンにして、ＩＬ３の負の期間の残りの割合に対して、Ｓ２およびＳ１のボディダイオードＤ１を通ってＩＬ３の循環を保持し、電流の共振回路への再循環を保持する。ＩＬ３がＳ１のボディダイオードを通って循環するときは、ゲート信号Ｖｇ１はＴ／２〜Ｔの間はいつでもＳ１をオフにすることができる。
【００５０】
こうしてスイッチＳ１およびＳ２がＩＬ３と同期するように制御された状態で、出力電流（ＩＤ３＋ＩＤ４）は、整流裁断（ほぼ）正弦波である。ダイオード流通期間θ１または同等のスイッチ流通期間θ２（ここではθ２＝Ｔ／２−θ１）を制御することにより、平均出力電流は直接に平滑に制御される。θ１は０からπまで変化することができる。
【００５１】
モードＩＩの作動は、図４に示されている。モードＩＩはモードＩと非常に似た方式で作動するが、異なるスイッチング手順を有する。ゲート信号の立下りエッジ、すなわちＶｇ１およびＶｇ２のデューティサイクルは、図４に示されたように、ＩＬ３を参照してスイッチ流通期間θ２で制御される。
【００５２】
電流ＩＬ３がｔ０において正に変わる前に、スイッチＳ１のボディダイオードＤ１は、負方向に流れるＩＬ３ですでにオンされている。したがって、ＩＬ３の負の期間中にＳ１をオンすることにより、ゼロ電流／ゼロ電圧スイッチングが引き起こされることになる。
【００５３】
ｔ０において、ＩＬ３は正に変わる。Ｓ１がオンされて、ＩＬ３はＳ１およびＳ２のボディダイオード、第２のダイオードＤ２を通って共振回路に再循環される。ＩＬ３の正の期間のこの割合（モードＩの作動における正の期間の「残りの割合」と等しい）に対して、負荷ＲＤＣに伝送される電力はない。
【００５４】
スイッチ流通期間θ２が達するｔ１において、Ｓ１はオフされ、ＩＬ３は、ＩＬ３の正の期間の所定の割合に対して、電力を負荷に伝送するために、Ｄ３およびＳ２のボディダイオードＤ２を介して循環する。この割合の間、瞬時ＬＣＬ出力電圧ＶＬＣＬは＋ＶＤＣである。ｔ０〜Ｔ／２の間はいつでも、Ｖｇ２はＳ１のようにゼロ電流／ゼロ電圧スイッチングでＳ２をオンすることが可能である。
【００５５】
ｔ２＝Ｔ／２において、ＩＬ３は、Ｄ３が静かにオフされ、ＩＬ３がＳ２およびＳ１のボディダイオードを通って共振回路に再循環するように負に変わる。
【００５６】
ｔ３において、ゲート信号Ｖｇ２はＳ２をオフすることにより、ＩＬ３が、ＩＬ３の負の期間の所定の割合に対してＤ４を通って出力を負荷に伝送可能になる。ＬＣＬ出力電圧ＶＬＣＬの瞬時値は−ＶＤＣである。
【００５７】
スイッチ流通期間θ２およびダイオード流通期間θ１が一定に保持された状態で、半周期毎に出力に伝送される電力は同一である。
【００５８】
スイッチＳ１およびＳ２の両方のスイッチ流通期間θ２を、ＩＬ３と同期的に制御することにより、出力電力は直接に平滑に制御される。これは、従来の低速スイッチング制御トポロジに比べて、可変相互結合で出力電力を調節するための機能を提供する。また本発明は、デューティサイクルをゼロ電力から全電力まで増減することにより、低速スイッチング適用において、ＬＣＬピックアップの完全なオン状態と完全なオフ状態との間の平滑な伝送を可能にし、それにより軌道電流の一過性障害を最小にする。
【００５９】
ダイオード流通期間θ１またはスイッチ流通期間θ２のいずれかに関して、直流出力電流の説明のための理論的表現の導出は、実際的ではない。その代わりに、多くの解決策が以下に示される。両方の提案された作動モードのための循環電流制御装置は、様々な比率のＶＤＣ／ＶＯＣでシミュレーションされる。異なるＶＤＣ／ＶＯＣ比率に対する正規化された出力電流は、モードＩの作動に対して図５に示されている。ここではＩｄｃ＿ｍａｘは、ＬＣＬピックアップの理想的な最大出力電流であり、以下によって得られる。
【数３】
2018068105.tif 000005
【００６０】
図５に示されたＳＰＩＣＥシミュレーション結果は、出力電流とスイッチ流通期間θ２との関係が、ＶＤＣ／ＶＯＣによって影響を及ぼされないことを実証する。これは、ＬＣＬネットワークの出力電流源の特性に起因する。ＬＣＬネットワークの理想的な出力直流電流は、ゼロスイッチ流通期間をもつ整流正弦波である。高調波が出力電流の中に整流器によって導入され、これにより、出力電流が理想的な正弦波からわずかに歪曲される。したがって、スイッチ流通期間がゼロでは、正規化された最大出力電流は１ではなく、約０．９５である。スイッチ流通期間θ２が０°から１８０°に制御されると、出力電力は、図５に示された関係に従って、正確に制御され調節されることが可能である。
【００６１】
図５（およびそれに続く図）に示されたシミュレーション結果は、概ね図２に示されたように、本発明による回路の特定の例に対するものである。異なるＬＣＬ設計（すなわち、異なる誘導および容量値）に対して、出力電流および反射されたインピーダンスの特性は違ってくる。
【００６２】
モードＩＩの作動における様々なＶＤＣ／ＶＯＣ比率に対する正規化された出力電流のシミュレーション結果は、図６に示されている。モードＩと同様に、スイッチ流通期間θ２に関して正規化された直流出力電流は、様々なＶＤＣ／ＶＯＣ比率についても同じである。しかし、出力直流電流とスイッチ流通期間θ２との関係は、完全に異なる。０°〜２０°で、出力直流電流は、モードＩと同様に減少する代わりに、増加するスイッチ流通期間に伴って増加する。０°〜２０°で、直流電流は、スイッチ流通期間の増加に伴って降下する。モードＩに比較すると、直流電流の減衰は、モードＩＩの作動に対しては、はるかに遅い。これは、スイッチング行為によって導入された、追加の電流高調波によって引き起こされると考えられる。モードＩの作動では、導入された高調波は、負荷に循環する代わりにスイッチおよびＬ３を通って循環する。したがって、０°〜２０°のスイッチ流通期間に、ＩＬ３内に導入された電流高調波を有する合成出力直流は、スイッチが完全なオフであるときよりはるかに大きく、異なる全体出力電流の挙動は、これらの２つの作動間で観察される。
【００６３】
ピックアップスイッチ流通期間θ２が０°から１８０°に変化すると、出力電力は制御されるが、ＬＣＬ交流基本出力電圧の位相もＩＬ３に対して変えられる。これにより、両方の作動モードに対して、追加Ｖａｒ負荷がＬＣＬネットワーク内に導入される。このＶａｒ負荷は、一次軌道上に反射して戻し、電源をわずかに離調させる。様々なＶＤＣ／ＶＯＣ比率に対して、正規化された反射された反応インピーダンスのシミュレーション結果は、作動のモードＩおよびモードＩＩのそれぞれに対して図７および８に示されている。
【００６４】
（図７に示されたように）モードＩの作動では、反射されたインピーダンスは、異なるスイッチ流通期間に対して、誘導性負荷と容量性負荷との間を振幅する。スイッチ流通期間θ１が０°〜１３５°に維持される場合、一次軌道によって見られる反射された負荷は、軌道誘導をわずかに増加させる誘導性である。このことが発生するのは、ＶＬＣＬの位相がＩＬ３をもたらすからである。ＶＬＣＬとＩＬ３との位相差が増加すると、反射された誘導性負荷は増加し続ける。これにより、スイッチ流通期間θ２が減少を開始する約９０°に達するまで、反射された誘導性負荷が徐々に速度を落としながら増加する。これは、スイッチ流通期間θ２の増加に伴い、ＶＬＣＬの大きさが減少し続けるからである。したがって、ＶＬＣＬとＩＬ３との位相差が増加すると優勢が少なくなる。スイッチ流通期間θ２が１３５°〜１８０°の間を変化する際は、一次への反射されたインピーダンスは容量性であり、軌道誘導をわずかに低減する。これは、Ｌ３とＣ３を組み合わせたインピーダンスは、整流器によって導入される誘導を適合するために、通常Ｘより少ないからである。軌道に戻される反射されたインピーダンスの量は、ＶＤＣ／ＶＯＣ比率に比例する。
【００６５】
モードＩの作動と異なり、モードＩＩの作動中の反射されたインピーダンスは、図８に示されたように純粋に容量性である。これは、ＶＬＣＬとＩＬ３との間の位相がモードＩと反対の方法（すなわち、ここではモードＩＩにおいてＶＬＣＬはＩＬ３を遅延させる）であることに起因する。最大反射された反応インピーダンスは、９０°の同じ流通期間で発生し、モード１作動下である際のように、ＶＤＣ／ＶＯＣ比率に比例する。
【００６６】
本発明の一例示的実施形態は、例によって以下に説明される。２．５ｋＷ５０Ｖを実装した提案された循環電流のデューティサイクル制御ピックアップが構築され、市販されているＷａｍｐｆｌｅｒ（商標）１０ｋＷのＩＰＴ電源を使用して試験された。Ｗａｍｐｆｌｅｒ（商標）１０ｋＷのＩＰＴ電源は、またＡＧＶ（無人搬送車）アプリケーションに対してＬＣＬ共振ネットワークも使用する。しかし、本発明のピックアップには、当業者には理解されるように、あらゆる適切な電源を使用してもよい。
【００６７】
この例のピックアップパラメータおよび軌道誘導は、下の表１に一覧にされている。
【表１】
2018068105.tif 000006
【００６８】
格定電力の半分で作動するピックアップのオシロスコープ・キャプチャは、モードＩで作動する図９に示されている。１番上の波形は、Ｌ３（ＩＬ３）内の電流であり、２番目の波形は、ＬＣＬ交流出力電圧（ＶＬＣＬ）であるが、３番目の波形は、Ｄ３およびＤ４の合計の出力電流（ＩＤ３＋ＩＤ４）である。最後の（１番下の）波形は、信号Ｖｇ１を駆動するスイッチゲートである。このキャプチャは、ネットワークＶＬＣＬに変化した交流の出力電圧が、ＩＬ３に対してダイオード流通期間θ１を制御することによって、首尾よく制御されることを示す。
【００６９】
図１０は、スイッチゲートが駆動する波形のない、図１０（ａ）が、格定負荷の１／３での作動を示し、図１０（ｂ）が、格定負荷の２／３での作動を示し、図１０（ｃ）が、格定負荷での作動を示す、他の負荷条件で、モードＩで作動するピックアップのオシロスコープ・キャプチャを示す。
【００７０】
様々な負荷条件下のピックアップの効率測定が、図１１に示されている。図１１からわかるように、例示的ピックアップは、完全な負荷で８８％の効果を達成し、半分の負荷で依然として約８５％の効果である。この制御装置は、高効率の達成が困難である５０Ｖおよび５０Ａで作動する。
【００７１】
上に論じたように、本発明の循環電流のデューティサイクルの制御方法は、制御されたスイッチ流通期間に依存して、可変反応インピーダンスを反射する。表１に表されたシステムパラメータで、原型システムの最大反射された反応インピーダンスは、図７および８を使用して計算できる。
【００７２】
モードＩの作動で、最大反射された誘導性負荷は、図７に示されたように、８０°のスイッチ流通期間で生じる。最大反射された容量性負荷は１８０°で生じ、これはピックアップが完全にオフである状態に対応する。計算された最大反射された誘導性インピーダンスは、０．０４１５Ωであり、これは一次軌道誘導が０．３３μＨ増加することに対応する。Ｗａｍｐｆｌｅｒ１０ｋＷの一次電源軌道は、＋／−２μＨの耐性で２６μＨに調整されるので、Ｗａｍｐｆｌｅｒ１０ｋＷの一次電源軌道は、２μＨまで蓄積するために、８０度のスイッチ流通期間で同時に作動する６個のピックアップ制御装置が必要となる。この例示的システムは、電源の過負荷を防止するために、いかなる時も５個以上のピックアップを担うように設計されていないので、反射された誘導性負荷はこの設計において問題はないはずである。一方、最大反射された容量性インピーダンスは、−０．０７２６Ωであり、これは一次軌道誘導が０．５７７μＨ低減することに対応する。閾値−２μＨを超えるには、完全にオフである制御装置を４個まで有することになるはずである。
【００７３】
モードＩＩの作動で、反射された反応インピーダンスは純粋に容量性であり、最大反射されたインピーダンスは、上に論じたように、８０°のスイッチ流通期間で生じる。表１および図８を使用すると、最大反射された反応は、−０．１５１Ωであり、これは一次軌道誘導が１．２０２μＨ低減することに対応する。２個以上のピックアップを軌道上で同時にスイッチングする場合、電源への離調効果は、閾値２μＨを超えることになる。したがって、この状況下で計算する電流デューティサイクル制御は、ピックアップ制御装置が低速スイッチング制御方法で、完全にオフと完全にオンにされる間を移行する方式として使用されることが可能である。連続したスイッチング（すなわちインターリーブ型スイッチング）制御方法で、電源内の反射された反応過負荷を回避するためにモードＩＩで作動する際に、２個以下のピックアップを同時に同じ軌道上でスイッチングすることが可能である。しかし、ＬＣＬ共振ネットワークトポロジに適合する電源は、その設計された値より少ないその軌道誘導に対してより良好な耐性を有する一方で、電源の最大電力定格をわずかに含むに過ぎない。したがって、提案された循環電流のデューティサイクル制御装置によって導入される追加のＶａｒ負荷は、一次電源をわずかに離調するが、実際にはこのＶＡＲ負荷は、通常のシステムパラメータ耐性によって容易に扱われることが可能である。
【００７４】
上に論じたように、本発明の方法は、たとえば、適切なゲート電圧をスイッチＳ１およびＳ２に提供するように適合したマイクロコントローラなどの、演算手段またはデジタルもしくは混合信号演算装置またはプロセッサの一部の形を含んでもよい、制御手段によって通常実施されるはずである。本発明の方法を実施するプログラム・ソフトウェアからの命令に従って、特定の機能を実行するために一旦プログラミングされると、実施には演算装置は、特に本発明の方法に専用の演算装置になる。このために必要な技法は、埋込み式システムの当業者には周知である。
【００７５】
本発明の方法を実施するコンピュータプログラムは、ユーザにフロッピーディスク、ＣＤ−ＲＯＭ、またはＵＳＢフラッシュモモリなどの配布媒体上で配布されてもよい。そこから、コンピュータプログラムは、ハードディスク、埋込み式固体メモリ、または同様の中間記憶媒体にコピーされてもよい。プログラムが実行されると、プログラムはそれらの配布媒体またはそれらの中間記憶媒体のいずれかから、演算手段の実行メモリ内にロードされ、演算手段が本発明の方法に従って作用するように構成する。これらの作動のすべては、コンピュータシステムの当業者には周知である。
【００７６】
用語「コンピュータ可読媒体」は、コンピュータの配布媒体、中間記憶媒体、実行メモリ、および本発明の方法を実施する演算装置により後で読み取られるために、記憶可能なあらゆる他の媒体または装置を含む。
【００７７】
別法として、本発明の方法は、たとえば、複数の個別の電子部品および／または特別用途向け集積回路（ＡＳＩＣ）により、ハードウェア内全体で実行されてもよい。
【００７８】
本発明、特に制御手段は、したがって、本発明の方法を実施するように適合されたコンピュータプログラム、このようなコンピュータプログラムを記憶するコンピュータ可読媒体、および／または本発明の上述の方法を実施するように適合されたハードウェアシステムであると言ってもよい。
【００７９】
前述から、ピックアップ制御方法、および低速スイッチング直並列同調ＬＣＬピックアップトポロジにおいて出力電力の調節が可能なピックアップ制御装置が、提供されることが理解されよう。この調節により、ピックアップと一次軌道との間の相互結合における変動、および軌道電流の一過性障害を最小にするために、ピックアップ出力レベル間の増減における変動のいずれか、または両方を補償することが可能になる。
【００８０】
文脈が明確にそうでないと求めない限り、説明全体を通して、用語「ｃｏｍｐｒｉｓｅ（含む）」、「ｃｏｍｐｒｉｓｉｎｇ（含む）」などは、排他的または網羅的意味とは反対に包括的な意味、すなわち、「ｉｎｃｌｕｄｉｎｇ（含む）がこれに限定されない」という意味に解釈されるべきである。
【００８１】
本発明は、例として、またその考えられる実施形態を参照して説明されたが、修正形態または改良形態が、本発明の範囲から逸脱することなく、それになされてもよいことを理解されたい。また、本発明は、本出願の明細書で言及された、または示された複数の部分、要素もしくは特徴の任意またはすべての組合せにおいて、個別にあるいは集合的に、該部分、要素および特徴であると概して言ってもよい。さらに、公知の等価物を有する本発明の特定の構成部品または完全体を参照した場合、このような等価物は個別に説明されたかのように本明細書に組み込まれる。
【００８２】
本明細書全体を通して先行技術のあらゆる検討は、決してこのような先行技術が当技術分野における、広く公知の、または共通一般知識の一部の形である証としてみなされるべきではない。
【図１】
2018068105.tif 000007
【図２】
2018068105.tif 000008
【図３】
2018068105.tif 000009
【図４】
2018068105.tif 000010
【図５】
2018068105.tif 000011
【図６】
2018068105.tif 000012
【図７】
2018068105.tif 000013
【図８】
2018068105.tif 000014
【図９】
2018068105.tif 000015
【図１０】
2018068105.tif 000016
【図１１】
2018068105.tif 000017
【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
共振回路からの交流入力を含む誘導電力伝送（ＩＰＴ）ピックアップのための制御方法であって、前記交流入力は、交流電流を前記交流入力から整流し、直流電流を直流出力に供給するように適合されたダイオードブリッジに電気的に結合され、
前記交流電流の正の期間中に前記交流電流が前記共振回路に再循環をもたらすために、前記ダイオードブリッジの第１のダイオードを選択的に短絡することと、
前記交流電流の負の期間中に前記交流電流が前記共振回路に再循環をもたらすために、前記ダイオードブリッジの第２のダイオードを選択的に短絡することと、
を含み、
前記第１および第２のダイオードを短絡することは、それによって前記交流電流の前記正および負の期間の所定の割合が、前記直流電流を前記直流出力に供給するように整流され、前記交流電流の前記正および負の期間の残りの割合は、前記共振回路に再循環される、前記交流電流と同期される、制御方法。
【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
交流入力電流を生成する共振回路と、整流器と、直流出力とを備え、前記交流入力電流が前記直流出力に供給される誘導電力伝送（IPT）ピックアップの制御方法であって、
前記交流入力電流の期間の割合を予め決定すること、
決定された前記割合の交流入力電流を前記直流出力に供給すること、及び、
残りの割合の交流入力電流を前記共振回路に再循環すること、
を備えてなる制御方法。
【請求項２】
前記交流入力電流の期間の割合は、
前記交流入力電流の正の期間の割合、及び、
前記交流入力電流の負の期間の割合
を含み、
前記交流入力電流の正及び負の期間のそれぞれの割合が前記直流出力に供給される、請求項１に記載の制御方法。
【請求項３】
前記それぞれの割合は、それぞれのスイッチにより制御可能である、請求項１に記載の制御方法。
【請求項４】
予め決定された前記割合は、前記交流入力電流の前記正及び負の期間のそれぞれの開始時に発生する、請求項１に記載の制御方法。
【請求項５】
予め決定された前記割合は、前記交流入力電流の前記正及び負の期間のそれぞれの終了時に発生する、請求項１に記載の制御方法。
【請求項６】
前記正及び負の期間の予め決定された前記割合は、所望の直流出力に比例する、請求項１に記載の制御方法。
【請求項７】
直流出力を検知するステップ、及び
前記所望の直流出力を獲得するために、それに応じて予め決定された前記割合を調節するステップ、
を含む、請求項６に記載の制御方法。
【請求項８】
ピックアップのスイッチを入れる際に、予め決定された前記割合を必要とされる割合まで低速で増加させるステップを含む、請求項１に記載の制御方法。
【請求項９】
ピックアップのスイッチを切る際に、予め決定された前記割合をゼロまで低速で減少させるステップを含む、請求項１に記載の制御方法。
【請求項１０】
前記スイッチは、前記交流入力電流の供給又は再循環を制御するためにダイオードを短絡する、請求項３に記載の制御方法。
【請求項１１】
請求項１乃至１０のいずれか１項による、前記方法を実行するように適合された、ＩＰＴピックアップ制御装置。
【請求項１２】
交流入力電流を生成するための共振回路と、
直流出力に供給するために、前記交流入力電流を整流する整流器とを備え、
前記整流器は、前記交流入力電流の或る割合を前記直流出力に供給し、前記交流入力電流の残りの割合を前記共振回路に再循環するように構成されている、誘導電力伝送ピックアップ。
【請求項１３】
前記割合は前記直流出力に依存している、請求項１２に記載の誘導電力伝送ピックアップ。
【請求項１４】
前記ピックアップは前記直流出力を検知する検知装置を備え、前記割合は前記直流出力と所望の出力との比較に依存している、請求項１２に記載の誘導電力伝送ピックアップ。
【請求項１５】
前記整流器は、
前記交流入力電流の正の期間の割合を前記直流出力に供給する第１の回路構成と、
前記交流入力電流の負の期間の割合を前記直流出力に供給する第２の回路構成と、
前記交流入力電流の残りの割合を前記共振回路に再循環する第３の回路構成と、
の間を切り替えるように構成されたスイッチを備えたブリッジ式整流器を含んでなる、請求項１２に記載の誘導電力伝送ピックアップ。
【請求項１６】
前記共振回路はインダクタ・コンデンサ・インダクタ（ＬＣＬ）回路を含んでなる、請求項１２に記載の誘導電力伝送ピックアップ。
【請求項１７】
前記整流器はその整流を制御するための複数のスイッチを備えている、請求項１２に記載の誘導電力伝送ピックアップ。
【請求項１８】
前記複数のスイッチは、ダイオード整流器のダイオードを含むか、又は、制御する、請求項１７に記載の誘導電力伝送ピックアップ。
【請求項１９】
前記整流器は、複数のダイオードを含むダイオード整流器であり、前記ダイオードの少なくとも２つは前記複数のスイッチにより短絡される、請求項１７に記載の誘導電力伝送ピックアップ。
【請求項２０】
さらに、前記整流器を制御する制御回路を備え、前記制御回路は、前記交流入力電流の前記割合を予め決定し、前記交流入力電流の前記割合の供給及び再循環を制御するように適合されている、請求項１２に記載の誘導電力伝送ピックアップ。
【外国語明細書】
2018068105.tif 000018
2018068105.tif 000019
2018068105.tif 000020
2018068105.tif 000021
2018068105.tif 000022
2018068105.tif 000023
2018068105.tif 000024
2018068105.tif 000025
2018068105.tif 000026
2018068105.tif 000027
2018068105.tif 000028
2018068105.tif 000029
2018068105.tif 000030
2018068105.tif 000031
2018068105.tif 000032
2018068105.tif 000033
2018068105.tif 000034
2018068105.tif 000035
2018068105.tif 000036
2018068105.tif 000037
2018068105.tif 000038
2018068105.tif 000039
2018068105.tif 000040
2018068105.tif 000041
2018068105.tif 000042
2018068105.tif 000043
2018068105.tif 000044
2018068105.tif 000045